(57)【要約】【課題】ユーザが飲みたい時間においては飲料容器を飲み頃温度に冷却し、それ以外の温度では保管に最適な冷蔵温度で保管することができる貯蔵庫を提供する。【解決手段】タイマー部５０が計測した時刻と過去における所定の計測時間帯とが規定の対応関係にあるときに、過去における所定の計測時間帯において扉スイッチ３８によって計測した扉開閉数が基準値を超えているときには６℃から１５℃の飲み頃温度に設定し、基準値より低いときには０℃から３℃の冷蔵温度に設定するものである。【選択図】　　　　図１
2004132619.tif 000002
【特許請求の範囲】
【請求項１】
ペットボトル、缶、瓶、紙容器等の飲料容器を貯蔵室に冷却して収納する貯蔵庫であって、
前記貯蔵室を冷却する冷却手段と、
前記貯蔵室を加熱する加熱手段と、
前記貯蔵室内部の温度を検知する温度センサと、
前記貯蔵室の扉の開閉を検知する扉スイッチと、
時刻を計測するタイマー手段と、
過去における所定の計測時間帯の間に行われた扉の開閉数を、前記扉スイッチを用いて計測して記憶する扉開閉数記憶手段と、
前記タイマー手段が計測した現在の時刻と前記過去における所定の計測時間帯とが規定の対応関係にあるときに、前記過去における所定の計測時間帯において前記扉開閉数記憶手段が記憶している扉開閉数が基準値を超えているときには、前記温度センサの検知温度が６℃から１５℃の飲み頃温度になるように前記冷却手段、または、前記加熱手段を用いて温度制御し、また、前記基準値を超えていないときには前記温度センサの検知温度が飲み頃温度より低い冷蔵温度になるように前記冷却手段、または、前記加熱手段を用いて温度制御する制御手段と、
を有する
ことを特徴とする貯蔵庫。
【請求項２】
前記規定の対応関係とは、
前記過去における所定の計測時間帯が、現在の時刻の２４時間前の時刻が含まれる時間帯であるか、
前記過去における所定の計測時間帯が、現在の時刻の一週前の時刻が含まれる時間帯であるか、
または、前記過去における所定の計測時間帯が、現在の時刻の所定時間前の時間帯である
ことを特徴とする請求項１記載の貯蔵庫。
【請求項３】
前記貯蔵庫は、外気温を検知する外気温センサを有し、
前記制御手段は、
前記外気温センサの検知温度が所定温度より高いときは、前記飲み頃温度を基準飲み頃温度より低く設定する
ことを特徴とする請求項１記載の貯蔵庫。
【請求項４】
前記制御手段は、
前記タイマー手段が計測した現在の時刻より所定時間後の時刻と、前記過去における所定の計測時間帯とが規定の対応関係にあるときに、前記温度制御を行う
ことを特徴とする請求項１記載の貯蔵庫。
【発明の詳細な説明】
【０００１】
【発明の属する技術分野】
本発明は、ペットボトル、缶、瓶、紙容器等の飲料容器を収納して冷却する貯蔵庫に関するものである。
【０００２】
【従来の技術】
近年、家庭用冷蔵庫の冷蔵室、野菜室は食品保存性の向上を目的に低温化が進み、最新の大型機種では冷蔵室等の温度は０℃から３℃の設定のものが主流となってきている。
【０００３】
しかしながら、冷たい飲物の飲み頃温度は６℃から１５℃と言われており（非特許文献１、２）、上記のような家庭用冷蔵庫の冷蔵室や野菜室に保管した飲物は、冷たくなりすぎて味わいが損なわれたりする。
【０００４】
一方、飲物においても冷蔵温度帯での最適保存温度は０℃付近であり、上記のような飲み頃温度で長期保存すると雑菌の繁殖や飲物の変質の恐れが大きくなる（非特許文献３、４参照）。
【０００５】
特に、最近は５００ｍｌ入りのペットボトルの飲料水が流行しており、このペットボトルの場合には口を付けて飲物を飲んだ後、再び保管できるため、この保管のときに、口中細菌等によって汚染された飲物の温度管理は衛生上重要な問題となっている。
【０００６】
ところで、飲料水を販売する自動販売機においては、販売数の少ない時間帯に冷却温度を弱めるものが提案されているが（特許文献１）、飲み頃温度に合わせて販売したりする自動販売機は存在しない。
【０００７】
【非特許文献１】
調理科学研究会編「調理科学」、光生館、昭和５９年９月１０日発行、２１２頁
【０００８】
【非特許文献２】
島田淳子ほか１名編「調理科学講座１　調理とおいしさの科学」朝倉書店、１９９３年５月１５日発行、１３７頁と１３８頁
【０００９】
【非特許文献３】
社団法人日本冷凍協会編「冷凍空調便覧第５巻食品・生物・医学編」社団法人日本冷凍協会、平成５年６月２５日発行、５８頁
【００１０】
【非特許文献４】
丸山務著「食中毒は予防できる」主婦と生活社、１９９９年６月１４日発行、１３５頁
【００１１】
【特許文献１】
特開平１１−１４４１３９号公報
【００１２】
【発明が解決しようとする課題】
そこで、本発明は家庭において、ユーザが飲みたい時間においては飲料容器を飲み頃温度に冷却し、それ以外の温度では保管に最適な冷蔵温度で保管することができる貯蔵庫を提供するものである。
【００１３】
【課題を解決するための手段】
請求項１の発明は、ペットボトル、缶、瓶、紙容器等の飲料容器を貯蔵室に冷却して収納する貯蔵庫であって、前記貯蔵室を冷却する冷却手段と、前記貯蔵室を加熱する加熱手段と、前記貯蔵室内部の温度を検知する温度センサと、前記貯蔵室の扉の開閉を検知する扉スイッチと、時刻を計測するタイマー手段と、過去における所定の計測時間帯の間に行われた扉の開閉数を、前記扉スイッチを用いて計測して記憶する扉開閉数記憶手段と、前記タイマー手段が計測した現在の時刻と前記過去における所定の計測時間帯とが規定の対応関係にあるときに、前記過去における所定の計測時間帯において前記扉開閉数記憶手段が記憶している扉開閉数が基準値を超えているときには、前記温度センサの検知温度が６℃から１５℃の飲み頃温度になるように前記冷却手段、または、前記加熱手段を用いて温度制御し、また、前記基準値を超えていないときには前記温度センサの検知温度が飲み頃温度より低い冷蔵温度になるように前記冷却手段、または、前記加熱手段を用いて温度制御する制御手段と、を有することを特徴とする貯蔵庫である。
【００１４】
請求項２の発明は、前記規定の対応関係とは、前記過去における所定の計測時間帯が、現在の時刻の２４時間前の時刻が含まれる時間帯であるか、前記過去における所定の計測時間帯が、現在の時刻の一週前の時刻が含まれる時間帯であるか、または、前記過去における所定の計測時間帯が、現在の時刻の所定時間前の時間帯であることを特徴とする請求項１記載の貯蔵庫である。
【００１５】
請求項３の発明は、前記貯蔵庫は、外気温を検知する外気温センサを有し、前記制御手段は、前記外気温センサの検知温度が所定温度より高いときは、前記飲み頃温度を基準飲み頃温度より低く設定することを特徴とする請求項１記載の貯蔵庫である。
【００１６】
請求項４の発明は、前記制御手段は、前記タイマー手段が計測した現在の時刻より所定時間後の時刻と、前記過去における所定の計測時間帯とが規定の対応関係にあるときに、前記温度制御を行うことを特徴とする請求項１記載の貯蔵庫である。
【００１７】
請求項１の貯蔵庫であると、制御手段が、タイマー手段が計測した時刻と所定の計測時間帯とが規定の対応関係にあるときに、前記計測手段が計測した扉開閉数が基準値を超えているときには温度センサが検知する温度を飲み頃温度に制御し、基準値を超えていないときには飲み頃温度より低い冷蔵温度に制御するものである。すなわち、扉開閉数に着目し、扉開閉数が多い時間帯においてはユーザが飲料容器を取り出して飲むことが想定されるため飲み頃温度に冷却し、扉開閉数の少ない時間帯においては冷蔵温度に飲料容器を保存するものである。
【００１８】
請求項２の発明においては、規定の対応関係について、前日の時間帯の扉開閉数を用いるか、一週前の扉開閉数の時間帯を用いるか、一つ前の時間帯の扉開閉数を用いることによって、最適の制御を行うものである。
【００１９】
請求項３の発明であると、外気温が高い場合には飲み頃温度を低くした方がユーザにとって好適であるため、外気温が所定温度より高いときは、飲み頃温度を基準飲み頃温度より低く設定するものである。
【００２０】
請求項４の発明であると、制御手段は、タイマー手段が計測した時刻より所定時間前の所定の計測時間帯とが規定の対応関係にあるときに、制御を開始することにより、扉開閉数の多い時間帯がきたときには、飲み頃温度に必ず冷却されているものである。
【００２１】
【発明の実施の形態】
（第１の実施例）
以下、本発明の第１の実施例を図１から図６に基づいて説明する。
【００２２】
（１）貯蔵庫１０の構成
図１は、本実施例の貯蔵庫１０の縦断面図である。
【００２３】
貯蔵庫１０は、断熱性の壁より構成されたキャビネット１２と、このキャビネット１２の前面開口部を開閉する扉１４より構成されている。
【００２４】
キャビネット１２の内部には、ペットボトル、缶、瓶、紙容器等の飲料容器１６を貯蔵するための貯蔵室１８が設けられている。
【００２５】
貯蔵室１８の背面には、冷却器２０が仕切り壁２２を隔てて配されている。また、この冷却器２０の上方には冷気を貯蔵室１８内部に送風するファン２４が設けられている。
【００２６】
貯蔵室１８の底面には、貯蔵室１８内部を加熱するためのヒータ２６が設けられている。このヒータ２６は電熱線を折曲して蛇行状になし、貯蔵室１８の底面に埋設したものである。
【００２７】
貯蔵室１８の仕切り壁２２の前面には、貯蔵室１８の庫内温度を検出するための温度センサ２８が設けられている。
【００２８】
キャビネット１２の背面底部には機械室３０が設けられ、圧縮機３２が配されている。
【００２９】
キャビネット１２の上部背面には、貯蔵庫１０を制御するためのマイクロコンピュータよりなる制御部３４が設けられている。
【００３０】
扉１４の後面の四周部には冷気の漏れを防ぐためのガスケット３６が設けられている。
【００３１】
キャビネット１２の前面上部には、扉１４の開閉を検知するための扉スイッチ３８が設けられている。
【００３２】
扉１４の前面には、ユーザが貯蔵庫１０を制御するための操作部４０が設けられている。
【００３３】
（２）冷凍サイクル４２の構成
貯蔵庫１０における冷凍サイクル４２の構造について図２に基づいて説明する。
【００３４】
図２は、冷凍サイクル４２の構成図である。
【００３５】
図２に示すように、不燃性冷媒または可燃性冷媒を圧縮する圧縮機３２に、凝縮器４４の冷媒の高圧側吐出口にキャピラリチューブ４６、冷却器２０、逆止弁４８が順番に接続され、圧縮機３２の低圧側吸込口に至る。
【００３６】
（３）電気系統の構成
次に、貯蔵庫１０の電気系統の構造について説明する。
【００３７】
図３は、電気系統の構成を示すブロック図である。
【００３８】
マイクロコンピュータよりなる制御部３４内部には、時刻を計測するタイマー部５０と、年月日を計測するカレンダー部５２が設けられている。
【００３９】
この制御部３４には、操作部４０、扉スイッチ３８、温度センサ２８、ヒータ２６、圧縮機３２のモータ、ファン２４が接続されている。
【００４０】
（４）制御方法
次に、制御部３４が行う貯蔵庫１０の制御方法について、図４及び図５のフローチャートに基づいて説明する。
【００４１】
（４−１）第１の制御
図４のフローチャートに基づいて、第１の制御について説明する。
【００４２】
制御部３４は、タイマー部５０を用いて時刻を計測し、毎正時になればステップ２に進む。即ち、０時、１時、２時、３時、・・・、２３時になればステップ２に進む。
【００４３】
ステップ２においては、各正時から１時間の間の時間帯（以下、計測時間帯という）における扉１４の開閉数を、扉スイッチ３８によって検知する。例えば、１４時から１５時までの１時間の間の扉１４の開閉数を検知しステップ３に進む。
【００４４】
ステップ３においては、その計測した１時間当たりの扉１４の開閉数を記憶する。この場合に扉１４の開閉数だけでなく、その計測を行った年月日時刻も同時に記憶させておく。
【００４５】
そして、ステップ１に戻り、各正時ごとにステップ１から３の処理を続けるものである。
【００４６】
以上のようにすることにより、１日の各１時間当たりの扉１４の開閉数を計測して記憶することができる。
【００４７】
（４−２）第２の制御
次に、図５に基づいて第２の制御について説明する。
【００４８】
第２の制御は、貯蔵室１８の庫内温度を調整する制御である。
【００４９】
ステップ１０において、時刻を計測して、各正時になればステップ１１に進む。
【００５０】
ステップ１１において、例えば１４時になれば、その前日における１４時から１５時までの計測時間帯の扉１４の開閉数を呼び出してくる。この呼び出される扉開閉数は、第１の制御において記憶したものである。そしてこの呼び出した扉開閉数が基準値（例えば、５回）より多い場合にはステップ１２に進み、少ない場合にはステップ１３に進む。
【００５１】
ステップ１２においては、扉開閉数の多い計測時間帯であるため、ユーザが飲料水をよく飲む時間帯であると判断して、制御部３４は、温度センサ２８によって検知する温度、即ち貯蔵室１８の庫内温度を飲み頃温度に調整する。この飲み頃温度とは６℃から１５℃であり、この間の設定は、操作部４０によってユーザが行うことができる。例えば、飲み頃温度を１０℃に設定する等である。なお、貯蔵室１８の庫内温度が飲み頃温度より高い場合には、冷凍サイクル４２を用いて貯蔵室１８内部を冷却し、逆に、庫内温度が飲み頃温度よりも低い場合には、ヒータ２６を用いて貯蔵室１８内部を加熱するものである。そして、この飲み頃温度の調整を１時間続けステップ１０に戻る。
【００５２】
ステップ１３においては、扉開閉数の少ない計測時間帯であるため、ユーザの飲み易い温度に調整するよりも保管を目的とした温度にする方が好ましいため、貯蔵室１８内部を冷凍サイクル４２を用いて冷却して冷蔵温度（０℃から３℃）に調整する。そして１時間経てばステップ１０に戻る。
【００５３】
（５）実施例の効果
以上のように、前日の計測時間帯における扉開閉数をもとに、貯蔵室１８内部を飲み頃温度と冷蔵温度に調整して、ユーザが貯蔵庫１０をよく使う時間帯においては飲み頃温度に調整し、殆ど使わない場合には冷蔵温度に調整することができるため、ユーザが飲物を飲むときには最適な飲み頃温度に、保存を続ける場合には冷蔵温度にするため細菌等が発生したりすることがない。
【００５４】
そして、本実施例の場合には、この飲み頃温度と冷蔵温度に設定する時間帯を過去の扉開閉数に基づいて自動的に設定できるため、ユーザの調整の手間を省くことができる。
【００５５】
図６は、設置条件による扉開閉パターンの違いと庫内温度の設定例を示したものである。
【００５６】
例えば、２０代の娘の個室に貯蔵庫１０を設定した場合には、貯蔵庫１０が使われるのは仕事に行く前の６時から８時までと、仕事から帰ってきた１８時から２３時過ぎまでの間であるので、この扉開閉数の多い時間帯のみ飲み頃温度に設定すればよい。
【００５７】
また、４人家族のリビングに貯蔵庫１０を設定した場合には、昼の間の殆どが、飲み頃温度に設定するのが好ましく、逆に夜間は冷蔵温度に設定するのが好ましい。
【００５８】
（第２の実施例）
第１の実施例では、前日の扉開閉数に基づいて当日の温度調整を行ったが、これに代えて、カレンダー部５２のカレンダー機能を用いて、一週前の扉開閉数を参考に当日の温度調整を行ってもよい。
【００５９】
すなわち、平日と休日（例えば日曜日）とでは、図６に示すように貯蔵庫１０の使用の方法が全く異なるため、一週前、または各曜日ごとに各時間帯の扉開閉数を記憶させ、これに基づいて温度調整を行ってもよい。
【００６０】
（第３の実施例）
第１の実施例では前日の扉開閉数を用いたが、これに代えて、直前の時間帯、例えば１４時から１５時の温度調整を行う場合には、１３時から１４時までの扉開閉数の数を基準に温度調整を行ってもよい。
【００６１】
（第４の実施例）
第１の実施例では、前日の扉開閉数を見る場合に、同じ時間帯、例えば１４時から１５時までの扉開閉数を用いて、当日の１４時からの温度制御を行っている。
【００６２】
ところが、この方法では１４時から温度制御を開始するため、１４時直後に扉１４を開けて飲物を飲んだ場合に飲み頃温度に達しない場合がある。
【００６３】
そこで、第４の実施例では、現在の時刻が１３時のときには、前日の午後２時からの時間帯の扉開閉数を呼び出し、午後１時から温度制御を開始する。これによって、１４時においては、冷却されて既に飲み頃温度に到達するようになっている。
【００６４】
（第５の実施例）
上記各実施例では、飲み頃温度を６℃から１５℃の間であって、かつ、ユーザが操作部４０で操作した温度を飲み頃温度としていた。
【００６５】
本実施例では、貯蔵庫１０が置かれている環境の温度を検知する外気温センサを設け、この外気温センサが検知した外気温が所定温度（例えば、１５℃）より高い場合には、飲み頃温度を、ユーザが操作した温度（以下、基準飲み頃温度という）より２℃から３℃低く設定するようにする。但し、この場合でも飲み頃温度が６℃より低くならないようにする。
【００６６】
これによって、夏場等においてよく冷えたビール等を飲みたい場合に、基準飲み頃温度より飲み頃温度がより低く設定されるため、ユーザの希望に応じた温度とすることができる。
【００６７】
（変更例１）
上記各実施例では、時間帯として１時間ごとに区切ったが、これに代えて２時間毎、３時間毎、または、３０毎、１０分毎に区切ってもよい。
【００６８】
（変更例２）
上記実施例では圧縮機３２によって高圧冷媒を送ることにより冷却する方法を用いていたが、これに代えて貯蔵室１８をペルチェ素子によって冷却する方法であってもよい。
【００６９】
（変更例３）
上記実施例ではヒータ２６を貯蔵室１８の底面に設けたが、これに代えて冷却器２０の近傍に設け、加熱した空気をファン２４によって送風する構造であってもよい。
【００７０】
【発明の効果】
以上により本発明の貯蔵庫であると、扉開閉数が多いときには飲み頃温度に設定し、扉開閉数の少ないときには冷蔵温度に設定するため、ユーザが飲料水を飲みたいときには飲み頃温度となり、その他のときには保管に適した温度で冷却するため、細菌等が発生することがない。
【図面の簡単な説明】
【図１】本発明の第１の実施例を示す貯蔵庫の縦断面図である。
【図２】同じく冷凍サイクルの構成図である。
【図３】同じく制御系統のブロック図である。
【図４】第１の制御のフローチャートである。
【図５】第２の制御のフローチャートである。
【図６】設置条件による扉開閉パターンの違いと庫内温度の設定例を示したグラフである。
【符号の説明】
１０　貯蔵庫
１２　キャビネット
１４　扉
１６　飲料容器
１８　貯蔵室
２０　冷却器
２４　ファン
２６　ヒータ
２８　温度センサ
３８　扉スイッチ
４０　操作部
４２　冷凍サイクル
５０　タイマー部
５２　カレンダー部
【図１】
2004132619.tif 000003
【図２】
2004132619.tif 000004
【図３】
2004132619.tif 000005
【図４】
2004132619.tif 000006
【図５】
2004132619.tif 000007
【図６】
2004132619.tif 000008